(57)【要約】【課題】簡易な構造にて低コストであり、耐荷重性能の優れたラックを提供する、こと。【解決手段】ラックは、鉛直方向に沿って立設された筒状体である複数の支柱部材と、これら支柱部材間を水平方向に連結する複数の梁部材と、を備えた鉛直方向に積み重ね可能なラックであって、少なくとも１つの支柱部材の開口している上端に、当該上端を覆うと共に下方に向かって凹む凹部が形成された上端覆い部材を備え、この同一の支柱部材の開口している下端に、当該下端を覆うと共に下方に向かって突出し上端覆い部材の凹部に挿入可能な形状の凸部が形成された下端覆い部材を備えた。【選択図】図１
2010047375.tif 000002
【特許請求の範囲】
【請求項１】
鉛直方向に沿って立設された筒状体である複数の支柱部材と、これら支柱部材間を水平方向に連結する複数の梁部材と、を備えた鉛直方向に積み重ね可能なラックであって、
少なくとも１つの前記支柱部材の開口している上端に、当該上端を覆うと共に下方に向かって凹む凹部が形成された上端覆い部材を備え、この同一の前記支柱部材の開口している下端に、当該下端を覆うと共に下方に向かって突出し前記上端覆い部材の凹部に挿入可能な形状の凸部が形成された下端覆い部材を備えた、
ことを特徴とするラック。
【請求項２】
前記上端覆い部材は、その中央部分に前記凹部が形成された板状体であり、
前記下端覆い部材は、その中央部分に前記凸部が形成された板状体である、
ことを特徴とする請求項１記載のラック。
【請求項３】
前記上端覆い部材の凹部及び前記下端覆い部材の凸部は、前記板状体を絞り成型することによって形成されている、
ことを特徴とする請求項２記載のラック。
【請求項４】
前記上端覆い部材と前記下端覆い部材とは、その外周形状が筒状体である前記支柱部材の断面外周形状とほぼ同一形状にそれぞれ形成されている、
ことを特徴とする請求項１，２又は３記載のラック。
【請求項５】
前記上端覆い部材の凹部及び前記下端覆い部材の凸部は、それぞれ中心に向かって断面空洞部分が狭くなる形状に形成されている、
ことを特徴とする請求項１，２，３又は４記載のラック。
【請求項６】
前記上端覆い部材の凹部及び前記下端覆い部材の凸部は、それぞれ略半球形状である、
ことを特徴とする請求項１，２，３，４又は５記載のラック。
【請求項７】
前記上端覆い部材の凹部の内面形状は、前記下端覆い部材の凸部の外面形状よりも大きく形成されている、
ことを特徴とする請求項１，２，３，４，５又は６記載のラック。
【請求項８】
前記上端覆い部材の凹部及び前記下端覆い部材の凸部に、それぞれ貫通穴を形成した、
ことを特徴とする請求項１，２，３，４，５，６又は７記載のラック。
【請求項９】
前記貫通穴を、前記上端覆い部材の凹部及び前記下端覆い部材の凸部のそれぞれの中心部に形成した、
ことを特徴とする請求項８記載のラック。
【請求項１０】
略直方体であるラックの四隅に配置された前記支柱部材のうち、当該ラックの同一辺の両端に位置する２本の前記支柱部材の上端及び下端に、それぞれ前記上端覆い部材及び前記下端覆い部材を設けた、
ことを特徴とする請求項１，２，３，４，５，６，７，８又は９記載のラック。
【発明の詳細な説明】
【技術分野】
【０００１】
本発明は、荷物を収容するラックにかかり、特に、積み重ね可能なラックに関する。
【背景技術】
【０００２】
倉庫内に物品を収容する際には、物品を載置して収容可能であると共に、当該物品を搬送しやすいよう、フォークリフトなどで運搬可能なラックが用いられる。例えば、一例として、特許文献１の図１に示すように、周囲が支柱で囲まれた略立方体形状のものがある。
【０００３】
そして、このラックは、例えば、特許文献１の図９に示すように、積み重ねられて使用することが可能である。このとき、ラックの縦方向（鉛直方向）の支柱は、内部が空洞な筒状体で形成されており、その上端部分は開口している。また、ラックの縦方向の支柱の下端部分には、凸部が設けられている。これにより、ラックを積み重ねた時に上側に位置する上側ラックの支柱の下端部分に形成された凸部を、下側に位置する下側ラックの支柱の上端部分に形成された開口部に挿入させることで、ラック間の位置ずれを抑制し、安定して積み重ねることができる。
【０００４】
【特許文献１】特開２００１−３１２２６号公報
【特許文献２】特許第４０１２５５５号公報
【発明の開示】
【発明が解決しようとする課題】
【０００５】
ところが、上記特許文献１に開示のラックでは、他のラックが積み重ねられることによって支柱の上端開口部付近に大きな荷重がかかる。すると、かかる支柱の上端開口部付近を何ら加工せずに単に筒状で一重の周壁のままである場合には、支柱の強度が不足し、かかる支柱が破損する、という問題が生じる。
【０００６】
このため、特許文献２に開示のラックでは、他のラックの支柱が積み重ねられる縦方向の支柱の上端開口部付近を２重構造としている。つまり、略筒状の支柱の一部のみを２重構造としている。しかしながら、かかる構成にすることで、構造が複雑化し、製造が困難となる。つまり、設計や組み付けが複雑化し、また、材料コストが増加し、製品コストが増大する、という問題があった。
【０００７】
このため、本発明の目的は、上述した課題である、簡易な構造にて低コストであり、耐荷重性能の優れたラックを提供する、ことにある。
【課題を解決するための手段】
【０００８】
かかる目的を達成するため、本発明の一形態であるラックは、
鉛直方向に沿って立設された筒状体である複数の支柱部材と、これら支柱部材間を水平方向に連結する複数の梁部材と、を備えた鉛直方向に積み重ね可能なラックであって、
少なくとも１つの支柱部材の開口している上端に、当該上端を覆うと共に下方に向かって凹む凹部が形成された上端覆い部材を備え、この同一の支柱部材の開口している下端に、当該下端を覆うと共に下方に向かって突出し上端覆い部材の凹部に挿入可能な形状の凸部が形成された下端覆い部材を備えた、
ことを特徴とする。
【発明の効果】
【０００９】
本発明は、以上のように構成されることにより、簡易な構造で低コストに、耐荷重性能の優れたラックを実現することができる。
【発明を実施するための最良の形態】
【００１０】
本発明の一形態であるラックは、
鉛直方向に沿って立設された筒状体である複数の支柱部材と、これら支柱部材間を水平方向に連結する複数の梁部材と、を備えた鉛直方向に積み重ね可能なラックであって、
少なくとも１つの支柱部材の開口している上端に、当該上端を覆うと共に下方に向かって凹む凹部が形成された上端覆い部材を備え、この同一の支柱部材の開口している下端に、当該下端を覆うと共に下方に向かって突出し上端覆い部材の凹部に挿入可能な形状の凸部が形成された下端覆い部材を備えた、
ことを特徴とする。
【００１１】
上記発明によると、２つのラックを積み重ねる際に、上側に位置する一方のラックの支柱部材の下端に設けられた下端覆い部材に形成された凸部を、下側に位置する他方のラックの支柱部材の上端に設けられた上端覆い部材に形成された凹部に挿入することによって、ラック間の位置ずれを抑制し、安定して積み重ねることができる。そして、このとき、積み重ねられた上下に位置する筒状体である各支柱部材の開口している上端と下端とが、それぞれ上端覆い部材と下端覆い部材とによって覆われているため、当該上端及び下端の強度が増す。従って、積み重ねたラック及び載置された荷物の荷重に支柱が耐えることができ、当該支柱の損傷を抑制することができる。その結果、簡易な構造で低コストに、耐荷重性能の優れたラックを実現することができる。
【００１２】
また、上記ラックにおいて、上記上端覆い部材は、その中央部分に上記凹部が形成された板状体であり、上記下端覆い部材は、その中央部分に凸部が形成された板状体である、ことを特徴とする。また、上記上端覆い部材の凹部及び上記下端覆い部材の凸部は、上記板状体を絞り成型することによって形成されている、ことを特徴とする。これにより、簡易な構造にて上述した耐荷重性能の向上を実現でき、また、部品コストも低減することができる。
【００１３】
また、上記ラックにおいて、上記上端覆い部材と上記下端覆い部材とは、その外周形状が筒状体である上記支柱部材の断面外周形状とほぼ同一形状にそれぞれ形成されている、ことを特徴とする。これにより、支柱部材の上端及び下端に、それぞれ上端覆い部材及び下端覆い部材を溶接や接着剤などで装着することのみで、上述したように耐荷重性能の向上を図ることができると共に、上端及び下端に、不要な突出部分が形成されることも抑制できる。
【００１４】
また、上記ラックにおいて、上記上端覆い部材の凹部及び上記下端覆い部材の凸部は、それぞれ中心に向かって断面空洞部分が狭くなる形状に形成されている、ことを特徴とする。また、上記ラックにおいて、上記上端覆い部材の凹部及び上記下端覆い部材の凸部は、それぞれ略半球形状である、ことを特徴とする。これにより、上述したように、上端覆い部材の凹部に下端覆い部材の凸部を挿入させて安定した積み重ねを実現しつつ、凹部及び凸部をかかる形状にすることで、積み重ねが容易となり、また、支柱の上端及び下端のさらなる強度の増加を図ることができる。
【００１５】
また、上記ラックにおいて、上記上端覆い部材の凹部の内面形状は、上記下端覆い部材の凸部の外面形状よりも大きく形成されている、ことを特徴とする。これにより、下端覆い部材の凸部を上端覆い部材の凹部に挿入することが容易となり、積み重ね作業が容易となる。
【００１６】
また、上記ラックにおいて、上記上端覆い部材の凹部及び上記下端覆い部材の凸部に、それぞれ貫通穴を形成した、ことを特徴とする。また、上記貫通穴を、上記上端覆い部材の凹部及び上記下端覆い部材の凸部のそれぞれの中心部に形成した、ことを特徴とする。これにより、屋外にラックを放置した場合であっても、雨水などが凹部にたまることなく、貫通穴から支柱部材内部を落下して下端の凸部の貫通穴から排出される。特に、貫通穴を凹部及び凸部それぞれの中心部に形成することで、水などが支柱部材内部の中心部分を落下するため、かかる水が支柱部材の内側面に付着することがなく、当該支柱部材の腐食を抑制することができる。
【００１７】
また、上記ラックにおいて、略直方体であるラックの四隅に配置された上記支柱部材のうち、当該ラックの同一辺の両端に位置する２本の上記支柱部材の上端及び下端に、それぞれ上記上端覆い部材及び上記下端覆い部材を設けた、ことを特徴とする。
【００１８】
＜実施形態＞
本発明の第一の実施形態を、図１乃至図６を参照して説明する。図１は、ラックの全体構成を示す図であり、図２は、ラックを構成する支柱部材の構成を示す図である。図３は、支柱部材に設けられる上端覆い部材の構成を示す図であり、図４は、支柱部材に設けられる下端覆い部材の構成を示す図である。図５は、ラックを積み重ねた時の支柱部材の連結部分の様子を示す断面図であり、図６は、ラックを積み重ねたときの構成を示す図である。
【００１９】
本実施形態におけるラック１は、図１に示すように、略立方体形状である。具体的に、ラック１は、略正方形状の四隅に鉛直方向に沿って立設された４本の支柱部材１１，１２，１３，１４と、これら支柱部材１１，１２，１３，１４の下端部間を水平方向に連結する３本の梁部材２２，２３，２４と、支柱部材１１，１２，１３，１４の上端部間を水平方向に連結する４本の梁部材３１，３２，３３，３４と、を備えている。
【００２０】
なお、上記支柱部材１１，１２の下端部間には、梁部材が設けられておらず、当該支柱部材１１，１２側からラック１内に荷物を収容することが可能となっている。また、ラック１の上面には、複数の角材が格子状に連結された格子部材４０が備えられており、荷物の載置面を形成している。なお、ここでは、説明の都合上、符号１１，１２の支柱部材が位置する側を前面側といい、符号１３，１４の支柱部材が位置する側を背面側と呼ぶこととする。
【００２１】
そして、上記ラック１は、同一のものが積み重ね可能である。具体的に、図６にラックを積み重ねたときの様子を示す。なお、ここでは、上側のラックと下側のラックは同一のものであるが、説明の都合上、上側のラック（符号１００）を別の符号にて示すこととする。
【００２２】
この図に示すように、ラック１，１００を積み重ねる際には、下側のラック１の前面側の支柱部材１１，１２の上端に、上側のラック１００の背面側の支柱部材１１１，１１２の下端を積み重ねる。また、背面側では、下側のラック１の上面に位置する梁部材３３上に、上側のラック１００の下端に位置する梁部材１２３を載置する。このとき、ラック１の上面（載置面）の背面側に位置する辺の両端付近（例えば、梁部材３３の両端付近）には、当該載置面よりも上方に突出するストッパ４１，４２がそれぞれ設けられている。このストッパ４１，４２は、ラック１の上面（載置面）の外周に設けられているため、これよりも内側に上側のラック１００の梁部材１２３を載置することで、上下のラックの位置ずれを抑制し、積み重ね状態の安定化を図ることができる。
【００２３】
また、本実施形態では、上述したように、前面側で下側ラック１の支柱部材１１，１２と上側ラック１００の支柱部材１１１，１１２とを積み重ねるために、かかる支柱部材１１，１２，１１１，１１２は以下の構成を採っている。その構成について、図２乃至図４を参照して説明する。なお、これら支柱部材１１，１２，１１１，１１２は、全て同一の構成を採っているため、以下では、符号１１に示す支柱部材のみを説明する。
【００２４】
本実施形態における支柱部材１１は、断面が略正方形に形成された中空の筒状体である。このため、支柱部材１１の上端及び下端は、開口している状態である。但し、本実施形態では、図２に示すように、支柱部材１１の上端には、当該開口している上端を覆う上端覆い部材６０が設けられており、下端には、当該開口している下端を覆う下端覆い部材５０が設けられている。
【００２５】
具体的に、図３を参照して、上端覆い部材６０の構成を説明する。図３（ａ）は、平面図であり、図３（ｂ）は正面図である。また、図３（ｃ）は、正面から見た断面図であり、支柱部材１１に装着した時の様子を示している。
【００２６】
図３に示すように、上端覆い部材６０は、略正方形の板状体であり、その外周形状は、上記支柱部材１１の断面外周形状とほぼ同じ形状（大きさ）である。また、上端覆い部材６０の中央部分には、凹んだ凹部６１が形成されている。そして、この凹部６１は、略半球形状に形成されている。つまり、凹部６１の形状は、外周形状が正方形の上端覆い部材６０の中心（例えば、対角線の交点）に向かって、水平方向における断面の空洞部分が狭くなるよう形成されている。なお、この凹部６１は、例えば、板状部材の中央部分を絞り成型することによって形成されている。また、半円球形状の凹部６１の中心、つまり、最も凹んだ部分には、貫通穴６２が形成されている。
【００２７】
そして、上記上端覆い部材６０は、図３（ｃ）に示すように、支柱部材１１の上端部分に、溶接や接着剤などで固着される。このとき、凹部６１は、支柱部材１１の上端より下方側に位置するよう配置されて固着されるため、当該凹部６１は支柱部材１１の内部側に位置することとなる。これにより、支持部材１１は、開口していた上端部分が上端覆い部材６０でほぼ塞がれるため、かかる上端部分の強度が増す。さらに、上端覆い部材６０自体に半球形状の凹部６１が形成されていることで、さらに強度が増す。なお、このとき、上端覆い部材６０の外周形状は、支柱部材１１の断面外周形状とほぼ同じに形成されているため、上端覆い部材６０が支柱部材１１の外周からはみ出すことなく装着される。
【００２８】
ここで、本実施形態では、上端覆い部材６０に形成する凹部６１の形状は半球形状である場合を例示したが、当該凹部６１の形状はかかる形状に限定されず、いかなる形状であってもよい。例えば、逆円錐形状など、下方に向かって頂点が位置する逆錘形状であってもよい。このように、凹部６１の形状が、上端覆い部材６０の中心（例えば、対角線の交点）に向かって水平方向における断面の空洞部分が狭くなるよう形成されることで、支柱部材１１の強度の向上を図ることができる。
【００２９】
次に、図４を参照して、下端覆い部材５０の構成を説明する。図４（ａ）は、平面図であり、図４（ｂ）は正面図である。また、図４（ｃ）は、正面から見た断面図であり、支柱部材１１に装着した時の様子を示している。
【００３０】
図４に示すように、下端覆い部材５０は、略正方形の板状体であり、その外周形状は、上記支柱部材１１の断面外周形状とほぼ同じ形状（大きさ）である。また、下端覆い部材５０の中央部分には、突出した凸部５１が形成されている。この凸部５１は、略半球形状に形成されている。つまり、凸部５１の形状は、外周形状が正方形の下端覆い部材５０の中心（例えば、対角線の交点）に向かって、水平方向における断面の空洞部分が狭くなるよう形成されている。なお、この凸部５１は、例えば、板状部材の中央部分を絞り成型することによって形成されている。また、半球形状の凸部５１の中心、つまり、最も突出した部分には、貫通穴５２が形成されている。
【００３１】
そして、上記下端覆い部材５０は、図４（ｃ）に示すように、支柱部材１１の下端部分に、溶接や接着剤などで固着される。このとき、凸部５１が支柱部材１１の下端部分よりも下方側に位置するよう配置して固着するため、当該凸部５１は支柱部材１１の下端部分から下方に突出して位置することとなる。これにより、支柱部材１１は、開口していた下端部分が下端覆い部材５０でほぼ塞がれるため、当該支柱部材１１の下端部分の強度が増す。さらに、下端覆い部材５０自体に半球形状の凸部５１が形成されていることで、さらに強度が増す。なお、このとき、下端覆い部材５０の外周形状は、支柱部材１１の断面外周形状とほぼ同じに形成されているため、下端覆い部材５０が支柱部材１１の外周からはみ出すことなく装着される。
【００３２】
ここで、本実施形態では、下端覆い部材５０に形成する凸部５１の形状は半球形状である場合を例示したが、当該凸部５１の形状はかかる形状に限定されず、いかなる形状であってもよい。例えば、逆円錐形状など、下方に頂点が位置する逆錘形状であってもよい。このように、凸部５１の形状が、下端覆い部材５０の中心（例えば、対角線の交点）に向かって水平方向における断面の空洞部分が狭くなるよう形成されることで、支柱部材１１の強度の向上を図ることができる。
【００３３】
そして、上記下端覆い部材５０に形成されている凸部５１は、上述した上端覆い部材６０に形成されている凹部６１に挿入可能なよう形成されている。具体的には、下端覆い部材５０に形成されている半球形状の凸部５１の外面形状は、上端覆い部材６０に形成されている半球形状の凹部６１の内面形状よりも小さく形成されている。換言すると、半球状である凸部５１の半径は、半円球状である凹部６１の半径よりも小さい。
【００３４】
ここで、図５及び図６に、ラック１，１００を積み重ねたときの様子を示す。図６に示すようにラック１，１００を積み重ねる際には、まず、下側のラック１の前面側の支柱部材１１，１２の上端に、上側のラック１００の背面側の支柱部材１１１，１１２の下端を積み重ねることとなる。このとき、図５の断面図に示すように、下側のラック１の支柱部材１１の上端に設けられた上端覆い部材６０に形成された凹部６１に、上側のラック１００の支柱部材１１１の下端に設けられた下端覆い部材１５０に形成された凸部１５１が収容される。これにより、上側ラック１００の支柱部材１１１の下端覆い部材１５０の平面部分と、下側ラック１の支柱部材１１の上端覆い部材６０の平面部分とが面で当接し、上下のラック１，１１の各支柱部材１１，１１１が積み重ねられる。また、図６に示すように、前面側に位置するもう一対の支柱部材１２，１１２も、同様に積み重ねられる。
【００３５】
そして、ラック１，１００の背面側では、上述したように、下側のラック１の上面に位置する梁部材３３上に、上側のラック１００の下方側に位置する梁部材１２３を載置する。このとき、ラック１の上面（載置面）の背面側に位置する辺の両端付近（例えば、梁部材３３の両端付近）には、当該載置面よりも上方に突出するストッパ４１，４２がそれぞれ設けられている。このストッパ４１，４２は、ラック１の上面（載置面）の外周に設けられているため、これよりも内側に上側のラック１００の梁部材１２３を載置することで、積み重ね状態が安定する。
【００３６】
このようにすることによって、下側のラック１は地面に載置されているため、かかる地面に荷物を載置することで、ラック１内に荷物を収容することができる。加えて、上側のラック１００内には、下側のラック１の上面に設けられた格子部材４０を載置面として荷物を載置して収容することが可能となる。さらに、上段に他のラックを積み重ねたときも同様である。
【００３７】
このとき、特に、積み重ねられた上下に位置する筒状体である各支柱部材１１，１１１の開口している上端と下端とが、それぞれ上端覆い部材６０と下端覆い部材１５０とによって覆われているため、当該上端及び下端の強度が増す。従って、積み重ねられたラック１００及びその上に載置された荷物の荷重に支柱部材１１，１１１が耐えることができ、当該支柱の損傷を抑制することができる。その結果、簡易な構造で低コストに、耐荷重性能の優れたラックを実現することができる。また、相互に嵌合される凹部６１と凸部５１とを半球形状に形成しているため、積み重ねが容易となり、また、支柱の上端及び下端のさらなる強度の増加を図ることができる。
【００３８】
なお、積み重ねられていないときのラック１は、図１に示すように、支柱部材１１が鉛直方向に沿って位置する向きで屋外に放置される場合がある。かかる場合であっても、雨水などが上端に位置する凹部６１にたまることなく、当該凹部６１に形成された貫通穴５２から筒状である支柱部材１１の内部を落下して、下端の凸部５１に形成された貫通穴６２から外部に排出される。そして、特に、本実施形態では、貫通穴６２，５２を凹部６１及び凸部５１それぞれの中心部に形成することで、水などが支柱部材１１内部の中心部分を落下するため、かかる水が支柱部材１１の内側面に付着することがなく、支柱の腐食を抑制することができる。なお、貫通穴６２，５２は、凹部６１及び凸部５１の中心部に形成することに限定されず、いかなる箇所に形成してもよい。また、貫通穴６２，５２は、形成されていなくてもよい。
【００３９】
また、上記では、略直方体であるラック１の四隅に配置された支柱部材のうち、当該ラック１の前面側の同一辺の両端に位置する２本の支柱部材１１，１２の上端及び下端に、それぞれ上端覆い部材６０及び下端覆い部材５０を設ける場合を例示したが、各覆い部材６０，５０は、他の支柱部材に設けてもよい。
【産業上の利用可能性】
【００４０】
本発明は、倉庫内で物品を収容する積み重ね可能なラックとして利用することができ、産業上の利用可能性を有する。
【図面の簡単な説明】
【００４１】
【図１】ラックの全体構成を示す図である。
【図２】ラックを構成する支柱の構成を示す図である。
【図３】支柱に設けられる上端覆い部材の構成を示す図である。
【図４】支柱に設けられる下端覆い部材の構成を示す図である。
【図５】ラックを積み重ねた時の支柱の連結部分の様子を示す図である。
【図６】ラックを積み重ねたときの構成を示す図である。
【符号の説明】
【００４２】
１，１００  ラック
１１，１２，１３，１４，１１１，１１２  支柱部材
２２，２３，２４，３１，３２，３３，３４，１２３  梁部材
４０  格子部材
４１，４２  ストッパ
５０，１５０  下端覆い部材
５１，１５１  凸部
５２，１５２  貫通穴
６０  上端覆い部材
６１  凹部
６２  貫通穴
【図１】
2010047375.tif 000003
【図２】
2010047375.tif 000004
【図３】
2010047375.tif 000005
【図４】
2010047375.tif 000006
【図５】
2010047375.tif 000007
【図６】
2010047375.tif 000008